(57)【特許請求の範囲】
【請求項１】
端子金具と、前記端子金具が後方から挿入されるハウジングとを備えたコネクタであって、
前記端子金具は、
前端部にタブを有し、後端部に電線接続部を有する端子本体と、
前記端子本体に、前記タブを包囲する保護位置と、前記保護位置よりも後方であって前記タブを露出させる露出位置との間での相対変位を可能に設けられたシェルとを備えており、
前記端子本体と前記シェルには、互いに係止することで前記シェルが前記保護位置から前記露出位置へ変位するのを規制する変位規制部が設けられ、
前記ハウジングには、
前記端子金具が前記ハウジング内に挿入される途中で、前記シェルの前進を規制する前止まり部と、
前記変位規制部同士の係止を解除することで、前記シェルが前記前止まり部によって前進を規制された状態から、前記端子本体が前記シェルに対して相対的に前進することを許容する変位規制解除部とが設けられており、
前記端子本体には、前記端子本体から斜め後方へ片持ち状に延出した形態であって、前記端子本体が正規挿入位置に到達したときに、前記ハウジングに係止することで前記端子本体を抜止めする弾性撓み可能なランスが形成され、
前記端子金具の挿入過程では、前記シェルが前記前止まり部に当接する前に、前記変位規制部の係止が解除されるようになっており、
前記シェルには、前記ランスを前記シェルの外部へ突出させる逃がし孔が形成され、
前記シェルが前記保護位置にあるときには、前記ランスの基端部が前記逃がし孔の前側の孔縁に係止することで、前記シェルの前記露出位置への相対変位が抑制されていることを特徴とするコネクタ。
【請求項２】
前記ハウジングには、後退規制部が形成され、
前記シェルには、前記後退規制部に係止することで前記シェルを前記前止まり部に当接した状態に保持可能な後退規制片が形成され、
前記端子本体には、前記シェルが前記保護位置にあるときにのみ前記後退規制片を前記後退規制部から解離させる後退規制解除部が形成され、
前記端子本体と前記シェルには、互いに係止することで、前記シェルが保護位置にあるときに前記シェルが前記端子本体に対して相対的に前方へ変位するのを規制する前進規制部が形成されていることを特徴とする請求項１記載のコネクタ。
【発明の詳細な説明】
【技術分野】
【０００１】
本発明は、コネクタに関するものである。
【背景技術】
【０００２】
前端部に細長いタブを有する雄形の端子金具において小型化を図ろうとする場合、タブが異物の干渉等によって変形や折損等を来すのを防止するための対策が必要となる。この対策の一例として、特許文献１には、タブを、その長さ方向と平行な折り目に沿って板材を曲げ加工することによって成形し、タブの強度向上を図る技術が開示されている。
【先行技術文献】
【特許文献】
【０００３】
【特許文献１】特開２００３−０３６９１０号公報
【発明の概要】
【発明が解決しようとする課題】
【０００４】
端子金具が極端に小型化される場合、板材を曲げ加工することが難しくなり、上記のようにタブの強度を高める方法を適用することはできないため、強度アップ以外の方法でタブの変形や折損等を防止する手段が求められる。
本発明は上記のような事情に基づいて完成されたものであって、タブを異物の干渉から保護することを目的とする。
【課題を解決するための手段】
【０００５】
上記の目的を達成するための手段として、請求項１の発明は、端子金具と、前記端子金具が後方から挿入されるハウジングとを備えたコネクタであって、前記端子金具は、前端部にタブを有し、後端部に電線接続部を有する端子本体と、前記端子本体に、前記タブを包囲する保護位置と、前記保護位置よりも後方であって前記タブを露出させる露出位置との間での相対変位を可能に設けられたシェルとを備えており、前記端子本体と前記シェルには、互いに係止することで前記シェルが前記保護位置から前記露出位置へ変位するのを規制する変位規制部が設けられ、前記ハウジングには、前記端子金具が前記ハウジング内に挿入される途中で、前記シェルの前進を規制する前止まり部と、前記変位規制部同士の係止を解除することで、前記シェルが前記前止まり部によって前進を規制された状態から、前記端子本体が前記シェルに対して相対的に前進することを許容する変位規制解除部とが設けられており、前記端子本体には、前記端子本体から斜め後方へ片持ち状に延出した形態であって、前記端子本体が正規挿入位置に到達したときに、前記ハウジングに係止することで前記端子本体を抜止めする弾性撓み可能なランスが形成され、前記端子金具の挿入過程では、前記シェルが前記前止まり部に当接する前に、前記変位規制部の係止が解除されるようになっており、前記シェルには、前記ランスを前記シェルの外部へ突出させる逃がし孔が形成され、前記シェルが前記保護位置にあるときには、前記ランスの基端部が前記逃がし孔の前側の孔縁に係止することで、前記シェルの前記露出位置への相対変位が抑制されているところに特徴を有する。
【０００８】
請求項２の発明は、請求項１に記載のものにおいて、前記ハウジングには、後退規制部が形成され、前記シェルには、前記後退規制部に係止することで前記シェルを前記前止まり部に当接した状態に保持可能な後退規制片が形成され、前記端子本体には、前記シェルが前記保護位置にあるときにのみ前記後退規制片を前記後退規制部から解離させる後退規制解除部が形成され、前記端子本体と前記シェルには、互いに係止することで、前記シェルが保護位置にあるときに前記シェルが前記端子本体に対して相対的に前方へ変位するのを規制する前進規制部が形成されているところに特徴を有する。
【発明の効果】
【００１０】
＜請求項１の発明＞
端子金具をハウジングに挿入する前は、変位規制部の係止により、保護位置にあるシェルが露出位置へ変位することがないので、タブはシェルによって保護された状態に保たれる。端子金具をハウジングに挿入する際には、端子本体に押圧力を付与してハウジング内に押し込む。端子金具の挿入過程では、途中でシェルが前止まり部により前進を規制され、それ以降は、変位規制部の係止が解除されて、端子本体の挿入が進む。端子本体の挿入が進むのに伴い、前止まりされているシェルが、端子本体に対して保護位置から露出位置へ相対的に変位するので、タブは相手側端子と接続可能な状態となる。
【００１１】
また、端子金具の挿入過程では、変位規制部同士の係止が解除された後も、ランスと逃がし孔との係止によりシェルが端子本体と一体となって前進する。そして、シェルが前止まり部に当接した後は、ランスが弾性撓みしてシェルの内部に収納されることにより、端子本体の挿入が進む。そして、正規挿入位置に到達した端子本体は、ランスの係止作用により抜止めされる。
変位規制部同士の係止解除動作が端子本体の挿入に伴って徐々に進行する場合でも、シェルが前止まりされるまでのあいだ、ランスと逃がし孔との係止によって、シェルを端子本体と一体に前進させることができる。また、正規挿入された端子本体を抜止めするためのランスは、端子本体とシェルを一体的に前進させる機能も兼ね備えているので、この機能をランスとは別の専用手段が行う場合に比べると、端子金具の構造の簡素化を図ることができる。
【００１２】
＜請求項２の発明＞
端子金具をハウジング内に正規挿入した状態では、シェルは露出位置にあるので、後退規制片が後退規制部に係止することにより、シェルは前止まりされた状態に保持されている。この状態から、端子本体を抜き取り方向へ移動させると、シェルが露出位置から保護位置へ相対変位するのであるが、保護位置に到達するまでの間、後退規制片と後退規制部との係止により、シェルはハウジングに対して後方へ移動することはない。そして、シェルが保護位置に到達すると、後退規制解除部により後退規制片が変位して後退規制部から解離するので、これ以降は、前進規制部同士の係止により、シェルが、保護位置に保たれたままで端子本体と一体に移動してハウジングから抜き取られる。
【図面の簡単な説明】
【００１３】
【図１】実施形態１のシェルが保護位置にある状態をあらわす端子金具の一部切欠側面図
【図２】シェルが保護位置にある状態をあらわす端子金具の平面図
【図３】シェルが保護位置にある状態をあらわす端子金具の一部切欠底面図
【図４】シェルが保護位置にある状態をあらわす端子金具の拡大正面図
【図５】シェルが露出位置にある状態をあらわす端子金具の一部切欠底面図
【図６】端子金具をハウジングに挿入する途中の状態をあらわす断面図
【図７】端子金具をハウジングに挿入する途中でシェルが前止まりされた状態をあらわす断面図
【図８】端子金具がハウジングに正規挿入された状態をあらわす断面図
【図９】端子金具をハウジングに挿入する途中の状態をあらわす一部切欠拡大正面図
【図１０】端子本体の側面図
【図１１】端子本体の平面図
【図１２】端子本体の拡大正面図
【図１３】シェルの拡大正面図
【図１４】シェルの平面図
【図１５】シェルの断面図
【図１６】シェルの側面図
【図１７】後退規制片が後退規制部から解離した状態をあらわす部分拡大断面図
【図１８】後退規制片が後退規制部に係止した状態をあらわす部分拡大断面図
【発明を実施するための形態】
【００１４】
＜実施形態１＞
以下、本発明を具体化した実施形態１を図１〜図１８を参照して説明する。本実施形態のコネクタは、図６〜８に示すように、端子金具Ｔと、端子金具Ｔが後方から挿入されるハウジングＨとを備えて構成されている。
【００１５】
図１〜３，５〜８に示すように、端子金具Ｔは、細長いタブ１１を有する雄形の端子であり、全体として前後方向に細長い形状である。端子金具Ｔは、端子本体１０と、端子本体１０とは別体の部品であってタブ１１を保護するためのシェル３０とを組み付けて構成されている。シェル３０は、端子本体１０に対し、タブ１１と端子本体１０の前端側領域を包囲して保護する保護位置（図１〜３，６，７を参照）と、保護位置よりも後方であってタブ１１を前方へ露出させる露出位置（図５，８を参照）との間で相対変位し得るようになっている。
【００１６】
図１，６〜８，１０，１１に示すように、端子本体１０は、概ね角筒状をなす前後方向に細長い箱部１２と、箱部１２の後端に連なる電線接続部１３とを有する。タブ１１は箱部１２の前端から前方へ片持ち状に延出している。箱部１２は、前後方向に細長い底壁部１４と、底壁部１４の左右両側縁から略直角に上方へ立ち上がる一対の側壁部１５と、右側の側壁部１５から略直角に左方へ延出した上壁部１６とを備えている。底壁部１４と両側壁部１５は、箱部１２の全長に亘って設けられ、上壁部１６は、箱部１２の前端側領域（略前半領域）の範囲内で設けられている。
【００１７】
図１，１０，１１に示すように、箱部１２の前端部には、底壁部１４から斜め下後方（箱部１２の外方）へ片持ち状に延出した形態であって、上方へ弾性撓み可能なランス１７が、切り起こしにより形成されている。図１，１０，１１に示すように、箱部１２には、上壁部１６から斜め上前方（箱部１２の外方）へ片持ち状に延出した形態であって、下方（水平となる方向）へ弾性撓み可能な変位規制片１８（本発明の構成要件である変位規制部）が、切り起こしにより形成されている。変位規制片１８は、箱部１２のほぼ全幅に亘って形成されている。前後方向において、ランス１７と変位規制片１８は、ほぼ同じ領域に配置されている。
【００１８】
上壁部１６の後端縁部は、前進規制縁部１９（本発明の構成要件である前進規制部）となっている。前進規制縁部１９は、変位規制片１８よりも後方に位置している。箱部１２には、左右両側壁部１５を方形に貫通（開口）させた孔状をなす一対の後退規制解除部２０が形成されている。後退規制解除部２０は、前後方向において前進規制縁部１９とほぼ同じ位置に配置されている。
【００１９】
図１，１４，１５に示すように、シェル３０は、全体として角筒状をなし、シェル３０の内部は、端子本体１０の一部を収容するための前後両端が開放された収容空間３１となっている。シェル３０は、前後方向に細長い底板部３２と、底板部３２の左右両側縁から略直角に立ち上がる一対の側板部３３と、右側の側板部３３の上端縁から略直角に左方へ張り出した第１〜第３右上板部３４Ａ，３４Ｂ，３４Ｃと、左側の側板部３３の上端縁から略直角に右方へ張り出した第１及び第２左上板部３５Ａ，３５Ｂとを備えて構成されている。
【００２０】
シェル３０には、底板部３２の一部を下方（シェル３０の外部）へ略直角に切り起こした形態の突当部３６が形成されている。底板部３２は、突当部３６を切り起こすのに伴って形成された逃がし孔３７を有する。突当部３６は逃がし孔３７の開口縁のうちの前縁から突出している。前後方向における突当部３６と逃がし孔３７の形成位置は、シェル３０の中央よりも少し後方である。底板部３２における逃がし孔３７よりも前方に領域には、貫通孔３８が形成されている。前後方向における貫通孔３８の形成位置は、シェル３０の中央よりも少し前方である。
【００２１】
前後に間隔を空けた第１〜第３の３つの右上板部３４Ａ，３４Ｂ，３４Ｃのうち最も前に位置する第１右上板部３４Ａの後端部には、斜め上後方へ片持ち状に延出した形態のガイド部３９が形成されている。前後方向中央に位置する第２右上板部３４Ｂは、前後長が第１右上板部３４Ａ及び第３右上板部３４Ｃより短く、第１右上板部３４Ａよりも上方の位置（底板部３２を基準する高さ方向においては、第１右上板部３４Ａよりも高い位置）に配置されている。この第２右上板部３４Ｂの後端縁は、変位規制用受け部４０（本発明の構成要件である変位規制部）となっている。最も後に位置する第３右上板部３４Ｃは、第２右上板部３４Ｂよりも上方に配置されている。第３右上板部３４Ｃの後端縁からは、下方へ略直角に延出した形態の前進規制壁４１（本発明の構成要件である前進規制部）が形成されている。
【００２２】
図１４に示すように、前後に間隔を空けた第１及び第２の２つの左上板部３５Ａ，３５Ｂのうち前側に位置する第１左上板部３５Ａの後端は、ガイド部３９の前端より少し前方に位置する。第２左上板部３５Ｂの前端は、変位規制用受け部４０よりも後方に位置する。第１左上板部３５Ａの後端から第２左上板部３５Ｂの前端に亘って開口する開口部と、上記第１右上板部３４Ａの後端から第２右上板部３４Ｂの前端に亘って開口する開口部は、変位規制片１８と前端規制縁部を前後方向に変位させるための変位許容開口部４２となっている。
【００２３】
図１，１５〜１８に示すように、左右両側板部３３の一部は、後方へ片持ち状に延出した形態の後退規制片４３となっている。一対の後退規制片４３は、左右対称であって、左右方向においてシェル３０の外側へ弾性撓み可能となっている。一対の後退規制片４３には、その前端（弾性撓みの支点）よりも少し後方の位置を内側（端子本体１０側）へ叩き出した形態の膨出部４４が形成されている。前後方向における後退規制片４３の形成領域は、前進規制壁４１よりも前方の位置から、前進規制壁４１よりも後方の位置に亘る範囲となっている。
【００２４】
ハウジングＨは合成樹脂製であり、図６〜８に示すように、ハウジングＨの内部には、前後方向に貫通する端子収容室５０が形成されている。端子収容室５０の底面壁５１には、前方に面するように段差状に切欠した形態の抜止部５２と、抜止部５２よりも後方に配置され、後方に面するように段差状に切欠した形態の前止まり部５３とが形成されている。また、図１７，１８に示すように、端子収容室５０の左右両内側面壁５４には、段差状に切欠することにより前方に面する後退規制部５５が、左右対称に一対形成されている。
【００２５】
端子収容室５０の上面壁５６（底面壁５１と対向する壁部）には、前方に向かって下り勾配となるように傾斜した変位規制解除部５７が形成されている。また、上面壁５６のうち変位規制解除部５７の後端より前方の領域には、上面壁５６の左右方向（幅方向）における右半分の領域を前後方向に細長く切欠した形態の逃がし溝５８が形成されている。逃がし溝５８の上面は、上面壁５６のうち変位規制解除部５７よりも後方の領域の上面と面一状に連続している。上面壁５６のうち逃がし溝５８の左側に隣接する領域は、押さえ部５９となっている。押さえ部５９の上面の高さは、上面壁５６のうち変位規制解除部５７より後方の領域よりも低くなっている。
【００２６】
次に、本実施形態の作用を説明する。ハウジングＨに挿入されていない状態の端子金具Ｔは、図１〜３に示すように、シェル３０が保護位置に位置決めされた状態で端子本体１０に取り付けられている。シェル３０が保護位置にある状態では、タブ１１の大部分（前端を除いた部分）が、シェル３０の収容空間３１内に収容され、異物の干渉等から保護されている。端子本体１０の前端側領域（端子本体１０の前端から、前進規制縁部１９に至る領域）も、収容空間３１内に収容され、変位規制片１８と前進規制縁部１９が、異物の干渉等から保護されている。ランス１７は、逃がし孔３７からシェル３０の下方（外部）へ突出（露出）している。さらに、図１７に示すように、後退規制片４３の膨出部４４が後退規制解除部２０の空間内に落ち込むように収容されるので、後退規制片４３は、シェル３０の側板部３３とほぼ面一となる形態（つまり、側板部３３の外面から外方へ突出しない状態）となっている。
【００２７】
シェル３０が保護位置にある状態では、図１に示すように、変位規制用受け部４０が、変位規制片１８の前端（延出端）に対して前方から係止することにより、シェル３０は端子本体１０に対して後方（露出位置側）への相対変位を規制される。また、シェル３０の逃がし孔３７の孔縁のうち前縁（突当部３６の基端部）が、ランス１７の基端部（前端部）に対して前方から係止することによっても、シェル３０が、端子本体１０に対して後方（露出位置側）への相対変位を規制される。さらに、前進規制壁４１が、前進規制縁部１９に対して後方から係止することにより、シェル３０は端子本体１０に対して前方への相対変位を規制される。上記の係止手段により、保護位置のシェル３０は、端子本体１０に対して前後方向の相対移動を規制された状態に保持される。
【００２８】
図８に示すように、シェル３０が露出位置にある状態では、タブ１１の大部分（後端部を除いた領域）が、シェル３０の前方へ露出した状態となり、雌形の相手端子（図示省略）と接続可能となる。一方、端子本体１０は、そのほぼ全体がシェル３０の内部（収容空間３１）に収容される。変位規制片１８は、端子本体１０の内側（下方）へ弾性撓みして、シェル３０の第１右上板部３４Ａと第１左上板部３５Ａの下に潜り込む。前進規制縁部１９は、前進規制壁４１から前方へ離間し、ガイド部３９と変位規制用受け部４０との間に位置する。ランス１７は、貫通孔３８からシェル３０の外部へ露出（突出）する。また、図１８に示すように、膨出部４４が、後退規制解除部２０から外れて端子本体１０の側壁部１５の外面に当接するので、後退規制片４３は、側板部３３の外面から左右方向外方へ突出した状態へ弾性撓みさせられる。
【００２９】
端子金具Ｔは、シェル３０が保護位置にある状態で、ハウジングＨの後方から端子収容室５０内に挿入される。このとき、作業者は、電線接続部１３又は電線接続部１３に圧着された電線（図示省略）を摘み、端子本体１０に挿入力を付与する。挿入途中では、端子本体１０の変位規制片１８が、その前端をハウジングＨの傾斜した変位規制解除部５７に摺接させることで、下方へ徐々に弾性撓みする。これにより、変位規制片１８は、変位規制用受け部４０から解離し、図６に示すように、押さえ部５９の下に潜り混む。これにより、変位規制片１８と変位規制用受け部４０との係止によるシェル３０の前進規制状態が解除される。
【００３０】
但し、変位規制片１８と変位規制用受け部４０による前進規制状態が解除されても、ランス１７の基端部が逃がし孔３７の前縁に係止するので、シェル３０の前方（露出位置側）への相対変位は規制されたままである。したがって、端子本体１０とシェル３０が一体的に挿入される。変位規制片１８と変位規制用受け部４０との係止が解除された後は、端子金具Ｔの挿入が進むのに伴い、ガイド部３９と変位規制用受け部４０（第２右上板部３４Ｂ）と第３右上板部３４Ｃが、逃がし溝５８内に進入する。
【００３１】
図６に示す状態から端子金具Ｔの挿入が進むと、図７に示すように、変位規制片１８と変位規制用受け部４０との係止が解除された状態のままで、シェル３０の突当部３６が、ハウジングＨの前止まり部５３に対して後方から係止する。この係止により、これ以降のシェル３０の挿入動作（前進）が規制される。この間、変位規制片１８は、押さえ部５９の下に潜り込んだ状態に保たれる。
【００３２】
図７に示す状態から、端子本体１０に、ランス１７と逃がし孔３７との係止力を上回る操作力（押込力）を付与すると、端子本体１０の押込み動作が進む。すると、ランス１７が上方へ弾性撓みし、端子本体１０が、前進規制されているシェル３０に対して相対的に前方へ変位し、端子収容室５０への挿入を進める。また、この間、変位規制片１８は、ガイド部３９の傾斜により、更に下方へ弾性撓みさせられて、第１右上板部３４Ａと第１左上板部３５Ａの下に潜り込む。
【００３３】
また、シェル３０が前止まりされた状態から、端子本体１０のみが前進（挿入）し始めると、後退規制解除部２０が膨出部４４から前方へ外れ、図１８に示すように、端子本体１０の側壁部１５の外側面が膨出部４４に当接するので、後退規制片４３は、シェル３０の外側方へ突出させるように弾性撓みさせられる。そして、弾性撓みした後退規制片４３の後端（延出端）が、ハウジングＨの後退規制部５５に対して前方から係止することにより、シェル３０のハウジングＨに対する後方への変位が規制される。
【００３４】
そして、図８に示すように、端子本体１０が正規の挿入位置に到達すると、ランス１７が、弾性復帰して貫通孔３８からシェル３０の外部へ突出し、ハウジングＨの抜止部５２に対して前方から係止する。この係止により、端子本体１０は、後方への抜けを規制された状態に保持される。以上により、端子金具Ｔの挿入作業が完了する。このとき、シェル３０は、端子本体１０に対してタブ１１をシェル３０の前方へ突出させる露出位置に保持される。
【００３５】
端子金具Ｔが端子収容室５０に挿入されている状態から、端子金具ＴをハウジングＨ外へ抜き取る際には、ハウジングＨの前方から治具（図示省略）を差し込んでランス１７を抜止部５２から解離するように上方へ弾性撓みさせる。これにより、端子金具Ｔは、ハウジングＨに対する後方への変位を許容されるので、ランス１７を弾性撓みさせた状態のまま、電線を摘んで端子本体１０を後方へ引っ張る。
【００３６】
すると、シェル３０は、後退規制片４３と後退規制部５５との係止によって後退規制されているので、端子本体１０のみが後方へ移動する。この間、シェル３０は、端子本体１０に対して相対的に前方へ変位する。端子本体１０の後退が進んで、シェル３０が保護位置に到達すると、図７に示すように、ランス１７が弾性復帰して逃がし孔３７からシェル３０の外方へ突出した状態となる。
【００３７】
シェル３０が保護位置に戻ると、前進規制縁部１９が前進規制壁４１に対して前方から係止し、この係止により、シェル３０の端子本体１０に対する前方への相対変位が規制され、端子本体１０に付与した後方への引張力が、シェル３０にも作用することになる。また、シェル３０が保護位置に戻ると、図１７に示すように、後退規制解除部２０が膨出部４４と対応するので、後退規制片４３は、その弾性復元力により端子本体１０に接近する方向へ閉じるように弾性復帰して、ハウジングＨの後退規制部５５から解離する。これにより、シェル３０はハウジングＨに対して後方へ相対変位し得る状態となる。このように、後退規制解除部２０は、シェル３０が保護位置にあるときにのみ後退規制片４３を後退規制部５５から解離させる。
【００３８】
したがって、図７に示す状態から、電線（図示省略）を摘んで端子本体１０を後方へ引っ張ると、端子本体１０とシェル３０が一体となって後方へ移動し、シェル３０が保護位置に復帰した状態の端子金具ＴがハウジングＨから抜き取られる。この間、変位規制片１８は、弾性復帰し、変位規制用受け部４０に対して後方から係止可能となるので、シェル３０は、端子本体１０に対して露出位置側（後方）へ相対変位することを規制される。
【００３９】
上述のように、本実施形態の端子金具Ｔは、前端部にタブ１１を有し、後端部に電線接続部１３を有する端子本体１０と、端子本体１０に、タブ１１を包囲する保護位置と、保護位置よりも後方であってタブ１１を露出させる露出位置との間での相対変位を可能に設けられたシェル３０とを備えている。この構成によれば、シェル３０を保護位置へ変位させておくことにより、タブ１１を異物の干渉等から保護でき、タブ１１の変形や折損等を防止することができる。また、シェル３０を露出位置へ変位させてタブ１１を露出させれば、相手側端子とタブ１１を接続することができる。
【００４０】
また、本実施形態のコネクタを構成する端子金具Ｔは、端子本体１０とシェル３０に、互いに係止することでシェル３０が保護位置から露出位置へ変位するのを規制する変位規制片１８と変位規制用受け部４０とを設けている。同じくコネクタを構成するハウジングＨには、端子金具ＴがハウジングＨ内に挿入される途中で、シェル３０の前進を規制する前止まり部５３と、変位規制片１８と変位規制用受け部４０との係止を解除することで、シェル３０が前止まり部５３によって前進を規制された状態から、端子本体１０がシェル３０に対して相対的に前進することを許容する変位規制解除部５７とが設けられている。
【００４１】
この構成によれば、端子金具ＴをハウジングＨに挿入する前は、変位規制片１８と変位規制用受け部４０との係止により、保護位置にあるシェル３０が露出位置へ変位することがないので、タブ１１はシェル３０によって保護された状態に保たれる。端子本体１０に押圧力を付与して端子金具ＴをハウジングＨ内に押し込むように挿入する過程では、途中でシェル３０が前止まり部５３により前進を規制され、それ以降は、変位規制片１８と変位規制用受け部４０との係止が解除されて、端子本体１０の挿入が進む。端子本体１０の挿入が進むのに伴い、前止まりされているシェル３０が、端子本体１０に対して保護位置から露出位置へ相対的に変位するので、タブ１１は相手側端子と接続可能な状態となる。
【００４２】
また、端子本体１０には、端子本体１０から斜め後方へ片持ち状に延出した形態であって、端子本体１０が正規挿入位置に到達したときに、ハウジングＨに係止することで端子本体１０を抜止めする弾性撓み可能なランス１７が形成され、端子金具Ｔの挿入過程では、シェル３０が前止まり部５３に当接する前に、変位規制片１８と変位規制用受け部４０との係止が解除されるようになっている。そして、シェル３０には、ランス１７をシェル３０の外部へ突出させる逃がし孔３７が形成され、シェル３０が保護位置にあるときには、ランス１７の基端部（前端部）が逃がし孔３７の前側の孔縁に係止することで、シェル３０の露出位置への相対変位が抑制されている。
【００４３】
この構成によれば、端子金具Ｔの挿入過程で、変位規制片１８と変位規制用受け部４０との係止が解除された後も、ランス１７と逃がし孔３７との係止によりシェル３０が端子本体１０と一体となって前進する。そして、シェル３０が前止まり部５３に当接した後は、ランス１７が弾性撓みしてシェル３０の内部に収納されることにより、端子本体１０の挿入が進む。そして、正規挿入位置に到達した端子本体１０は、ランス１７の係止作用により抜止めされる。
【００４４】
本実施形態では、変位規制片１８と変位規制用受け部４０との係止解除動作が端子本体１０の挿入に伴って徐々に進行するのであるが、この場合でも、シェル３０が前止まりされるまでのあいだ、ランス１７と逃がし孔３７との係止によって、シェル３０を端子本体１０と一体に前進させることができる。また、正規挿入された端子本体１０を抜止めするためのランス１７は、端子本体１０とシェル３０を一体的に前進させる機能も兼ね備えているので、この機能をランス１７とは別の専用手段で行う場合に比べると、端子金具Ｔの構造の簡素化を図ることができる。
【００４５】
＜参考例＞
本発明の参考例として、例えば次のような実施形態が考えられる。
（１）上記実施形態では、端子金具をハウジングに挿入する過程で、シェルが保護位置から露出位置へ変位するようにしたが、端子金具をハウジングに挿入する直前に、シェルを保護位置から露出位置へ変位させる形態が可能である。
（２）上記実施形態では、正規挿入された端子本体を抜止めするためのランスが、端子本体とシェルを一体的に前進させる機能も兼ね備えているが、この機能は、ランスとは別の専用手段で行う形態が可能である。
【符号の説明】
【００４６】
Ｈ…ハウジング
Ｔ…端子金具
１０…端子本体
１１…タブ
１３…電線接続部
１７…ランス
１８…変位規制片（変位規制部）
１９…前進規制縁部（前進規制部）
２０…後退規制解除部
３０…シェル
３７…逃がし孔
４０…変位規制用受け部（変位規制部）
４１…前進規制壁（前進規制部）
４３…後退規制片
５３…前止まり部
５５…後退規制部
５７…変位規制解除部
【図１】
0005704020.tif 000002
【図２】
0005704020.tif 000003
【図３】
0005704020.tif 000004
【図４】
0005704020.tif 000005
【図５】
0005704020.tif 000006
【図６】
0005704020.tif 000007
【図７】
0005704020.tif 000008
【図８】
0005704020.tif 000009
【図９】
0005704020.tif 000010
【図１０】
0005704020.tif 000011
【図１１】
0005704020.tif 000012
【図１２】
0005704020.tif 000013
【図１３】
0005704020.tif 000014
【図１４】
0005704020.tif 000015
【図１５】
0005704020.tif 000016
【図１６】
0005704020.tif 000017
【図１７】
0005704020.tif 000018
【図１８】
0005704020.tif 000019